(57)【要約】      （修正有）【課題】表面層から凹み状態を表示するマットを提供する。【解決手段】支持体２及び表面層３を備えると共に前記支持体２を被覆させ、前記表面層３は複数の第一繊維束を含み、各第一繊維束は相互に螺旋に巻回される方式により連接されて一体化する少なくとも２本の第一繊維ストリップからなる。複数の第二繊維束の各第二繊維束は、複数の第一繊維ストリップを被覆させ、第二繊維束の構造強度を強化させるケーシング管を備え、前記複数の第一繊維束及び第二繊維束係は上下交錯方式により製織される。第二繊維束のケーシング管は第一繊維ストリップの表面輝度より大きい輝度を有する。マット１が使用された後に凹み状態を呈すると、表面層はケーシング管及び前記第一繊維ストリップの異なる表面輝度の明暗の変化により前記凹み状態を表示させる。【選択図】図１
2016073540.tif 000002
【特許請求の範囲】
【請求項１】
可撓性を有する支持体と、
前記支持体を被覆させる表面層を備え、
前記表面層は、
各々が相互に螺旋に巻回する方式により連接され一体化し、それの構造強度を強化させる少なくとも２本の第一繊維ストリップからなる複数の第一繊維束と、
各々が前記複数の第一繊維ストリップを被覆させ、それの構造強度を強化させ、ケーシング管からなる複数の第二繊維束を更に備え、
前記ケーシング管はポリ塩化ビニル材質で製造され、且つ前記複数の第一繊維束及び複数の第二繊維束は上下交錯方式により製織されることで形成され、所定のパターンを製織により構成させ、
また、前記第二繊維束のケーシング管は前記第一繊維ストリップの表面輝度より大きい光沢輝度を有し、前記マットは使用された後に凹み状態を呈する場合は、前記表面層は前記ケーシング管及び前記第一繊維ストリップの異なる表面輝度の明暗の変化により前記凹み状態を表示させることを特徴とする、
表面層から凹み状態を表示するマット。
【請求項２】
前記第一繊維束及び第二繊維束はそれぞれ経線方向及び緯線方向から混織されることで形成され、製織により前記所定のパターンを構成させることを特徴とする、請求項１記載の表面層から凹み状態を表示するマット。
【請求項３】
前記第一繊維ストリップはポリエチレンテレフタレート（ＰＥＴ）材質、或いはナイロン材質で製造されることを特徴とする、請求項１記載の表面層から凹み状態を表示するマット。
【請求項４】
各２本の第二繊維束の間には若干の第一繊維束が設けられ、或いは各２本の第一繊維束の間には若干の第二繊維束が設けられることを特徴とする、請求項１記載の表面層から凹み状態を表示するマット。
【請求項５】
第二繊維束及び第一繊維束が凹み状態を呈した状態において、前記ポリ塩化ビニルで製造されるケーシング管の凹み部分が反射させる光沢輝度は凹んでいない部分よりも少なく、表面層全面に表示される暗い部分が明るい部分より多くなると、前記マットの凹み状態が材料の疲労が著しい状態であることを示し、使用者が前記表面層の材料の疲労状態を遠くからでも直接識別可能であることを特徴とする、請求項１記載の表面層から凹み状態を表示するマット。
【発明の詳細な説明】
【技術分野】
【０００１】
本発明は、凹み状態を表示する強靭な構造を有する表面層のマットに関する。
【背景技術】
【０００２】
従来のマット或いはクッションの構造は通常、本体及び本体を被覆する表層を備え、前記本体は弾性材質で製造され、人が踏んだり座ったりしても形状を回復させ、前記カバーは綿材料で製造されるものが多く見られる。
【発明の概要】
【発明が解決しようとする課題】
【０００３】
しかしながら、前述した従来のマットでは、マット或いはクッションの綿材質の表層は尖った物に当たると断裂しやすく、表層全体が破れて使用に耐えられなくなる。また、一定時間使用しても外観からは表層及び本体内部の材料の疲労状態を直接識別できず、使用者が踏んだり座ったりする際の使用感にも影響を与えた。
以上に鑑み、従来のマットやクッションをいかに改良し、表層が尖った物に当たっても破れにくくし、製品が弾性疲労を起こしているかを適時識別可能にするかが、今まさに解決が求められる問題である。
【０００４】
そこで、本発明者は上記の欠点が改善可能と考え、鋭意検討を重ねた結果、合理的かつ効果的に課題を改善する本発明の提案に到った。
【０００５】
本発明は、このような従来の問題に鑑みてなされたものである。上記課題解決のため、本発明は、マットを提供することを主目的とする。つまり、少なくとも２種類の繊維材料を交錯させて製織し、強靭な構造を有し尖った物に当たっても破れにくい表面層を提供する。
【０００６】
本発明の他の目的は、表面層から凹み状態を表示するマットを提供する。即ち、表面層の材料の光沢特性を利用し、離れた位置から見てもマットの使用後の凹み状態から疲労状態を判断でき、適時新品に交換可能であり、使用が快適になる。
【課題を解決するための手段】
【０００７】
上述した課題を解決し、目的を達成するために、本発明に係る表面層から凹み状態を表示するマットは、可撓性を有する支持体と、前記支持体を被覆させる表面層を備え、前記表面層は、各々は相互に螺旋に巻回する方式により連接され一体化し、それの構造強度を強化させる少なくとも２本の第一繊維ストリップからなる複数の第一繊維束と、各々は前記複数の第一繊維ストリップを被覆させ、それの構造強度を強化させ、ケーシング管からなる複数の第二繊維束を更に備え、前記ケーシング管はポリ塩化ビニル材質で製造され、且つ前記複数の第一繊維束及び複数の第二繊維束は上下交錯方式により製織されることで形成され、所定のパターンを製織により構成させ、また、前記第二繊維束のケーシング管は前記第一繊維ストリップの表面輝度より大きい光沢輝度を有し、前記マットは使用された後に凹み状態を呈する場合は、前記表面層は前記ケーシング管及び前記第一繊維ストリップの異なる表面輝度の明暗の変化により前記凹み状態を表示させることを特徴とする。
【０００８】
また、本発明の好ましい一態様によれば、前記第一繊維ストリップはポリエチレンテレフタレート（ＰＥＴ）材質或いはナイロンで製造される。
【０００９】
本発明のマット１はＰＥＴ及びＰＶＣの異なる繊維材料特性を利用して極めて好ましい強靭性及び伸張性を有する表面層３を構成させ、尖った物に当たっても破れにくく、マットの耐用年数を有効に延長させ、従来の綿製マットが尖った物に当たると破れやすく耐用性が低いという欠点を解決させる。また、ＰＶＣ及びＰＥＴの異なる材料の色艶を利用し、使用者が遠くから見てもマットの凹み具合が顕著かどうかすぐに判別可能になり、適時交換できる。
【発明の効果】
【００１０】
本発明によれば、使用者が遠くから見てもマットの凹み具合が顕著かすぐに判別可能になり、適時交換でき、従来のマットでは逐一掴み上げて行っていた検査時間を有効に節約できる。
【図面の簡単な説明】
【００１１】
【図１】本発明の第１実施形態によるマットを示す外観斜視図である。
【図２】本発明の第１実施形態によるマットを示す一部の拡大図である。
【図３】本発明の第１実施形態によるマットの第二繊維束を示す断面模式図である。
【図４】本発明の第１実施形態によるマットの第一繊維束を示す断面模式図である。
【発明を実施するための形態】
【００１２】
以下、本発明の実施形態について、図面を参照しながら説明する。なお、本発明は、以下に説明する実施形態に限定されるものではない。
【００１３】
本発明の表面層から凹み状態を表示するマット１は踏まれる以外に、座ってクッションとしても使用できる。また、表面層３は設計をカスタマイズさせて若干の色や花柄模様をあしらえることが可能である。前記マット１は矩形板状であるが、但しこれに限定されない。
【００１４】
（第１実施形態）
以下、第１実施形態を図１〜４に基づいて説明する。図１〜図４は本発明のマット１の好ましい第１実施形態である。本発明のマット１は支持体２及び支持体２の外を被覆する表面層３を備える。支持体２は形状が回復する性質の材質で製造され、例えばスポンジや多層の繊維層が重層される構成である。
【００１５】
表面層３は複数の第一繊維束３１及び複数の第二繊維３２を備える。この好ましい実施形態では、第一繊維束３１は少なくとも２本の第一繊維ストリップ３１１で構成され、前記２本の第一繊維ストリップ３１１は相互に螺旋に巻回する方式により連接されて一体化する。
第一繊維ストリップ３１１はポリエチレンテレフタレート（ＰＥＴ）材質或いはナイロン材質で製造される。螺旋に巻回して連接し一体化する形態により第一繊維束３１の構造強度を強化させ、且つＰＥＴ或いはナイロンは共に優れた強靭性、伸張性、耐衝撃強度、耐摩耗性を有するため、本発明の表面層３は適度な可撓性及び伸張性を提供する。
【００１６】
また、第二繊維束３２はケーシング管３２１を備え、複数の第一繊維ストリップ３１１を被覆させて第二繊維束３２の構造強度及び靭性を強化させ、ケーシング管３２１内の複数の第一繊維ストリップ３１１は相互に巻回し、または別々に並列して結束されてもよく、ケーシング管３２１の上下二端まで伸張する。
前記ケーシング管３２１はポリ塩化ビニル（ＰＶＣ）材質で製造される。よって、第二繊維束３２は第一繊維束３１の半径方向幅より大きい半径方向幅を有し、表面層３の構造強度を強化させる。複数の第一繊維束３１及び第二繊維束３２は上下交錯方式で製織されることで形成されると共に支持体２上に敷設される。
第一繊維束３１は経線方向に縫われ、第二繊維束３２は緯線方向に縫われ、各２本の隣接する経線は相互に平行に並列になり、各２本の隣接する緯線も相互に平行に並列になる。或いは、第一繊維束３１及び第二繊維束３２は経線方向及び緯線方向にそれぞれ混織され、例えば２本の第二繊維束３２の間には若干の第一繊維束３１が設けられ、または２本の第一繊維束３１の間には若干の第二繊維束３２が設けられる。
このほか、第一繊維束３１及び第二繊維束３２はそれぞれ異なる色を有し、経線及び緯線が製織された後に、例えば図１の５本の枝葉パターンのような所定のパターンを形成させる。
【００１７】
ＰＶＣは伸張性を有するため、第二繊維束３２が一定時間踏まれたり座られたりした後に凹んでも、ＰＥＴの第一繊維ストリップ３１１を利用し内部を被覆させることで、ＰＣＶのケーシング管３２１が断裂したり過度に凹む状況を有効的に回避させる。
他の実施形態では、ケーシング管３２０内には同時にＰＥＴの第一繊維ストリップ３１１及びナイロン製の第一繊維ストリップ３１１が収容され、ケーシング管３２０に納置される異なる材料特性の繊維を利用して構造強度強化或いは構造の伸張性強化の目的を達成させる。
【００１８】
従って、ＰＥＴの第一繊維束３１及びＰＶＣのケーシング管を有する第二繊維束３２は共に濃密な構造を構成させるため、尖った物に当たっても破れにくい構造の表面層３となる。また、表面層３は支持体２を被覆させた後、粘着剤を用いて支持体２の表面に粘着され、対向する二側は裁縫縁部４が縫われるか熱溶着手段により縁部が折り込まれ、表面層３を更に固定させる。
【００１９】
ちなみに、ＰＥＴ材料とＰＶＣ材料の色艶は異なり、ＰＶＣはより光沢があり、光線が照射されると容易に反射させるため、光沢は鮮明な視覚感を与える。換言すれば、本発明のケーシング管３２１は第一繊維ストリップ３１１の表面輝度より大きい光沢輝度を有する。
周知のように、伸張性を有するいかなる材料であっても一定時間使用すると材料に弾性疲労が発生し、マット或いはクッション等の圧力を受ける物品は、一定時間経過すると多少の凹み状態を表示するが、従来の綿製のマットでは遠くから直接識別するのは困難であり、マットを掴み取り凹み状態を確認するしかない。
しかしながら、本発明の前述の第一繊維束３１及び第二繊維束３２の材料の表面光沢特性を利用すれば、本発明に係るマット１は一定時間使用後に、支持体２、第一繊維束３１、及び第二繊維束３２が一定程度の凹みを表示するため、使用者は距離をおいても表面層３の明暗の変化を観察することですぐに凹み状態を直接確認できる。これは凹んでいる第二繊維束３２の部分は凹んでいない部分よりも暗く、ＰＶＣのケーシング管３２１の凹み部分が反射させる光沢輝度が凹んでいない部分よりも少ないためである。表面層３全面の暗い部分が明るい部分より多くなれば、マット１の凹み状態が材料の疲労状態が顕著であることを示し、使用者が踏んだり座ったりする際に感覚を感じなくなる。この際、使用者は遠くから前記材料の疲労状態を直接識別でき、適時交換可能になる。
【００２０】
上述のように、本発明に係るマット１は表面層３のＰＶＣ及びＰＥＴの材料の光沢の差異により凹み状態を表示させ、且つ異なる材料特性を利用して極めて好ましい強靭性及び伸張性を有する表面層３を構成させ、尖った物に当たっても破れにくく、マットの耐用年数を有効的に延長させ、従来の綿製マットが破れやすく耐用性が低いという欠点を解決させる。また、ＰＶＣ及びＰＥＴの異なる材料の色艶を解決し、使用者が遠くからマットの凹みが顕著かを観察でき、適時交換できるようにし、従来のマットでは逐一掴み上げて行っていた検査時間を有効的に節約させる。
【００２１】
以上、本発明の実施形態について図面を参照して詳述したが、具体的な構成はこの実施形態に限られるものではなく、本発明の要旨を逸脱しない範囲の設計変更等も含まれる。
【符号の説明】
【００２２】
１      マット
２      支持体
３      表面層
３１    第一繊維束
３１１  第一繊維ストリップ
３２    第二繊維束
３２１  ケーシング管
４      裁縫縁部
【図１】
2016073540.tif 000003
【図２】
2016073540.tif 000004
【図３】
2016073540.tif 000005
【図４】
2016073540.tif 000006